(57)【要約】【課題】天板の支持強度を確保した上で、体裁の向上及び使い勝手の向上を図る天板付什器を提供する。【解決手段】本発明の一態様に係る天板付什器は、第１支持体及び第２支持体と、中間支持体２３と、連結杆９５，９６と、天板と、を備えている。中間支持体２３は、連結杆９５，９６が左右方向で接続される中間ジョイント４５を備えている。中間ジョイント４５は、連結杆９５，９６とともに、天板の外周に沿って延びる外周フレーム２０を構成する。連結杆９５，９６の外側面９５ａ，９６ａ、及び中間ジョイント４５の外側面７２ａは、左右方向に連なり、外周フレーム２０における外装面２０ａを構成している。【選択図】図７
2020116220.tif 000002
【特許請求の範囲】
【請求項１】
床面から立設され、前記床面に沿う第１方向に互いに離間して配置された第１支持体及び第２支持体と、
前記第１支持体と前記第２支持体との間で前記床面から立設された中間支持体と、
前記第１方向に沿って延びるととともに、前記第１支持体及び前記第２支持体の上部と前記中間支持体の上部同士を連結する連結杆と、
前記第１支持体、前記第２支持体及び前記中間支持体に下方から支持される天板と、を備え、
前記中間支持体は、前記連結杆が前記第１方向で接続される接続部を備え、
前記接続部は、前記連結杆とともに、前記天板の外周に沿って前記第１方向に延びる外周フレームを構成し、
前記床面に沿う方向のうち、前記第１方向に交差する方向を第２方向とすると、
前記連結杆のうち前記第２方向で前記天板の外周側を向く杆外側面、及び前記接続部のうち前記第２方向で前記天板の外周側を向く接続部外側面は、前記第１方向に連なり、前記外周フレームにおける外装面を構成している天板付什器。
【請求項２】
前記杆外側面及び前記接続部外側面は、面一に配置されている請求項１に記載の天板付什器。
【請求項３】
前記中間支持体は、
前記床面から立設された中間ベース部と、
前記中間ベース部の上端部から前記第２方向に張り出すとともに、前記第２方向の先端部に前記接続部を有するアーム部と、を備えている請求項１又は請求項２に記載の天板付什器。
【請求項４】
前記アーム部は、
前記第２方向に延びるアーム本体と、
前記アーム本体における前記第２方向の先端部に着脱可能に取り付けられるとともに、前記アーム本体から前記第１方向に張り出す前記接続部と、を備えている請求項３に記載の天板付什器。
【請求項５】
前記接続部は、
前記接続部外側面を有する外装部と、
前記外装部から前記第１方向の両側に延びる取付片と、を備え、
前記連結杆は、前記取付片を内側に収容した状態で、前記接続部に接続されている請求項４に記載の天板付什器。
【請求項６】
前記取付片は、前記第１方向から見た外形が、前記外装部よりも小さい請求項５に記載の天板付什器。
【請求項７】
前記天板は、複数の天板片が前記第１方向に並んで構成され、
前記中間支持体は、前記第１方向で隣り合う前記天板片同士に跨って配置される請求項１から請求項６の何れか１項に記載の天板付什器。
【発明の詳細な説明】
【技術分野】
【０００１】
本発明は、天板付什器に関する。
【背景技術】
【０００２】
天板付什器として、支持構造体と、支持構造体上に支持された天板と、を備える構成が知られている。
支持構造体は、左右方向に互いに離間して配置された第１支持体及び第２支持体と、第１支持体及び第２支持体の上端部同士を接続する連結杆と、を備えている。
【０００３】
ところで、天板付什器において、天板のサイズ（左右方向の寸法）が大きい場合や、天板の支持強度を確保したい場合に、第１支持体と第２支持体との間に中間支持体を配置する構成が知られている（例えば、下記特許文献１参照）。下記特許文献１発明において、中間支持体は、前後方向に延びるステーを備えている。ステーは、連結杆に連結されるとともに、連結杆よりも前後方向の外側に突出している。
【先行技術文献】
【特許文献】
【０００４】
【特許文献１】特許第６０９７５１５号公報
【発明の概要】
【発明が解決しようとする課題】
【０００５】
しかしながら、上述した従来技術にあっては、天板の支持強度を確保した上で、体裁の向上及び使い勝手の向上を図る点で未だ改善の余地があった。すなわち、上述した特許文献１発明の構成にあっては、ステーが連結杆から前後方向に突出しているため、連結杆とステーとの段差が目立ちやすい。特に、天板高さが高い場合には、天板の下方空間が視認され易くなる。
また、ステーが連結杆から前後方向に突出していると、天板の下方空間で利用者が下肢を動かした際等に、利用者の下肢が意図せずステーに接触する可能性がある。
【０００６】
本発明は、天板の支持強度を確保した上で、体裁の向上及び使い勝手の向上を図る天板付什器を提供することを目的とする。
【課題を解決するための手段】
【０００７】
上記目的を達成するために、本発明の一態様に係る天板付什器は、床面から立設され、前記床面に沿う第１方向に互いに離間して配置された第１支持体及び第２支持体と、前記第１支持体と前記第２支持体との間で前記床面から立設された中間支持体と、前記第１方向に沿って延びるととともに、前記第１支持体及び前記第２支持体の上部と前記中間支持体の上部同士を連結する連結杆と、前記第１支持体、前記第２支持体及び前記中間支持体に下方から支持される天板と、を備え、前記中間支持体は、前記連結杆が前記第１方向で接続される接続部を備え、前記接続部は、前記連結杆とともに、前記天板の外周に沿って前記第１方向に延びる外周フレームを構成し、前記床面に沿う方向のうち、前記第１方向に交差する方向を第２方向とすると、前記連結杆のうち前記第２方向で前記天板の外周側を向く杆外側面、及び前記接続部のうち前記第２方向で前記天板の外周側を向く接続部外側面は、前記第１方向に連なり、前記外周フレームにおける外装面を構成している。
【０００８】
本態様によれば、第１支持体及び第２支持体の間に中間支持体が配置されることで、天板の支持強度を確保できる。そのため、第１方向の寸法が長い天板であっても、安定して支持できる。
特に、本態様では、接続部外側面が杆外側面に第１方向で連なることで、杆外側面とともに外周フレームの外装面を構成している。そのため、外周フレームにおいて、接続部と各連結杆との境界部分に段差が生じるのを抑制し、天板付什器の体裁を向上させることができる。また、利用者の下肢が接触するのを抑制できるので、使い勝手を向上させることができる。
【０００９】
上記態様の天板付什器において、前記杆外側面及び前記接続部外側面は、面一に配置されていてもよい。
本態様によれば、天板付什器の体裁、及び使い勝手の更なる向上を図ることができる。
【００１０】
上記態様の天板付什器において、前記中間支持体は、前記床面から立設された中間ベース部と、前記中間ベース部の上端部から前記第２方向に張り出すとともに、前記第２方向の先端部に前記接続部を有するアーム部と、を備えていてもよい。
本態様によれば、アーム部によって天板の下方を第２方向の広範囲に亘って支持した上で、中間支持体の下部（中間ベース部の領域）での第２方向の寸法を縮小できる。これにより、利用者の下肢が中間支持体に接触するのをより確実に抑制できる。
【００１１】
上記態様の天板付什器において、前記アーム部は、前記第２方向に延びるアーム本体と、前記アーム本体における前記第２方向の先端部に着脱可能に取り付けられるとともに、前記アーム本体から前記第１方向に張り出す前記接続部と、を備えていてもよい。
本態様によれば、例えば接続部をアーム本体から取り外した状態で搬送することで、中間支持体の第１方向の幅を抑えた上で搬送することができる。これにより、搬送コストや搬送効率の向上を図ることができる。
【００１２】
上記態様の天板付什器において、前記接続部は、前記接続部外側面を有する外装部と、前記外装部から前記第１方向の両側に延びる取付片と、を備え、前記連結杆は、前記取付片を内側に収容した状態で、前記接続部に接続されていてもよい。
本態様によれば、取付片と連結杆との接続部分が第１方向で重なり合うので、接続部と連結杆との接続強度を向上させることができる。
【００１３】
上記態様の天板付什器において、前記取付片は、前記第１方向から見た外形が、前記外装部よりも小さくてもよい。
本態様によれば、外装部の外側面（接続部外側面）と、杆外側面と、を面一に配置し易くなる。
【００１４】
上記態様の天板付什器において、前記天板は、複数の天板片が前記第１方向に並んで構成され、前記中間支持体は、前記第１方向で隣り合う前記天板片同士に跨って配置されてもよい。
本態様によれば、天板片の境界部分での支持強度を確保できる。これにより、天板の大型化を容易に図ることができる。
【発明の効果】
【００１５】
上記各態様によれば、天板の支持強度を確保した上で、体裁の向上及び使い勝手の向上を図ることができる。
【図面の簡単な説明】
【００１６】
【図１】実施形態に係る天板付什器の斜視図である。
【図２】実施形態に係る天板付什器の底面図である。
【図３】実施形態に係る天板の拡大斜視図である。
【図４】実施形態に係る中間支持体の分解斜視図である。
【図５】図４のＶ−Ｖ線に沿う断面図である。
【図６】実施形態に係る中間ジョイントの拡大斜視図である。
【図７】実施形態に係る支持構造体の部分斜視図である。
【図８】図７のＶＩＩＩ−ＶＩＩＩ線に相当する断面図である。
【図９】実施形態の他の構成に係る支持構造体の拡大斜視図である。
【図１０】実施形態の他の構成に係る支持構造体の拡大斜視図である。
【発明を実施するための形態】
【００１７】
次に、本発明の実施形態を図面に基づいて説明する。以下の説明において、床面Ｆに直交する方向を上下方向（矢印ＵＰが上側）とし、上下方向に直交する２方向をそれぞれ前後方向（第２方向：矢印ＦＲが前側）及び左右方向（第１方向：矢印ＬＨが左側）として説明する。
【００１８】
［天板付什器］
図１は、天板付什器１の斜視図である。
図１に示すように、本実施形態の天板付什器１は、例えばオフィスや公共施設の会議室等に設置されたテーブルである。天板付什器１は、天板１１と、支持構造体１２と、を備えている。
【００１９】
＜天板＞
図２は、天板付什器１の底面図である。
図１、図２に示すように、天板１１は、平面視において例えば左右方向を長手方向とする長方形状とされている。本実施形態の天板１１は、左右方向に並んだ複数（例えば、２枚）の天板片（左側天板片１５及び右側天板片１６）同士が突き合わされて構成されている。本実施形態では、天板１１の右端部から１／３程度の位置で天板片１５，１６同士が突き合わされている。
【００２０】
図３は、天板１１の拡大斜視図である。
図２、図３に示すように、天板片１５，１６のうち、互いに向き合う端部には、天板片１５，１６同士を連結する連結具１７が設けられている。連結具１７は、連結ボルト１７ａと、連結プレート１７ｂと、を備えている。
図３に示すように、連結ボルト１７ａは、天板片１５，１６の互いに向き合う端面を貫いている。連結ボルト１７ａの両端部は、天板片１５，１６に各別に形成された組付凹部１８，１９内で露出している。連結ボルト１７ａの両端部には、組付凹部１８，１９内で連結ナット１７ｃが螺着されている。
【００２１】
図２に示すように、連結プレート１７ｂは、天板１１の下面上において、天板片１５，１６の境界部分を跨るように配置されている。連結プレート１７ｂは、天板片１５，１６それぞれに下方から固定されている。連結プレート１７ｂの上下方向の厚さは、後述する外周フレーム２０に比べて十分に薄くなっている。なお、上述した連結具１７は、例えば天板片１５，１６の前後両端部に一対で設けられている。
【００２２】
図１、図２に示すように、天板１１には、天板１１上に載置される電子機器の配線Ｃ（図５参照）を天板１１の下方に導く配線挿通孔２５が形成されている。本実施形態において、配線挿通孔２５は、左右方向に間隔をあけて３か所形成されている。配線挿通孔２５は、配線カバー２６によって開閉可能に構成されている。なお、天板１１の下方において、配線挿通孔２５を下方から覆う配線ダクト等が設けられていてもよい。
【００２３】
なお、天板１１のサイズや平面視形状等は、適宜変更が可能である。この場合、天板１１は、１枚の天板片により構成されていてもよく、３枚以上の天板片に構成されていてもよい。
【００２４】
＜支持構造体＞
図２に示すように、支持構造体１２は、外周フレーム２０と、左側支持体（第１支持体）２１と、右側支持体（第２支持体）２２と、中間支持体２３と、を備えている。
外周フレーム２０は、天板１１の外形よりも一回り小さい枠状に形成されている。外周フレーム２０は、天板１１の外周縁よりも内側に位置する部分で、天板１１の下面に固定されている。外周フレーム２０の詳細な説明は後述する。
【００２５】
左側支持体２１は、前後一対の支持脚３１を備えている。支持脚３１は、床面Ｆから上方に延びる脚本体３２と、脚本体３２の上端部に取り付けられたブラケット３３と、をそれぞれ備えている。各支持脚３１は、外周フレーム２０のうち、左側に位置する前後の角部にブラケット３３を介して連結されている。ブラケット３３は、外周フレーム２０とともに天板１１の下面にも連結されている。
右側支持体２２は、左側支持体２１に対して左右方向に離間して配置されている。右側支持体２２は、前後一対の支持脚３５を備えている。支持脚３５は、左側支持体２１の支持脚３１と同様に、脚本体３６と、ブラケット３７と、をそれぞれ備えている。各支持脚３５は、外周フレーム２０のうち、右側に位置する前後の角部にブラケット３７を介して連結されている。ブラケット３７は、外周フレーム２０とともに天板１１の下面にも連結されている。
【００２６】
なお、支持脚３１，３５は、脚本体３２，３６が直接外周フレーム２０に連結される構成であってもよい。また、左側支持体２１及び右側支持体２２は、天板１１の左右方向の両端部においてそれぞれ外周フレーム２０に連結される構成であれば、１本の支持脚や３本以上の支持脚により構成されていてもよい。
【００２７】
＜中間支持体＞
中間支持体２３は、天板１１の下方において、天板片１５，１６の境界部分を跨る位置に配置されている。中間支持体２３は、天板１１及び外周フレーム２０に連結されて、左側支持体２１及び右側支持体２２とともに、天板１１を下方から支持する。なお、中間支持体２３は、天板片１５，１６の境界部分に限らず、支持体２１，２２の間に複数設けられていてもよい。
【００２８】
図４は、中間支持体２３の分解斜視図である。
図４に示すように、中間支持体２３は、左右方向から見た側面視でＴ字状に形成されている。中間支持体２３は、支柱（中間ベース）４１と、下部アーム４２と、上部アーム（アーム部、アーム本体）４３と、パネルカバー４４と、中間ジョイント（アーム部、接続部）４５と、を備えている。
【００２９】
支柱４１は、前後一対で設けられている。支柱４１は、上下方向に延びる筒状に形成されている。各支柱４１は、アジャスタ５１を介して床面Ｆに設置される。各支柱４１は、上下方向に直交する断面視において、前後方向の内側端面（互いに対向する面）を平坦面として、左右方向の外側に突の半長円形状に形成されている。なお、支柱４１は、２本に限らず、１本であってもよい。また、支柱４１の断面視形状は、適宜変更が可能である。
【００３０】
図５は、図４のＶ−Ｖ線に沿う断面図である。
図４、図５に示すように、各支柱４１における前後方向の内側端面には、係止突起５２が設けられている。各係止突起５２は、上下方向に間隔をあけて各支柱４１に左右二列で設けられている。すなわち、各係止突起５２のうち、左側に並んだ係止突起５２同士が左側突起列を構成し、右側に並んだ係止突起５２同士が右側突起列を構成している。各支柱４１において、左側突起列を構成する係止突起５２同士は、上下方向で対応する位置に設けられている。各支柱４１において、右側突起列を構成する係止突起５２同士は、上下方向で対応する位置に設けられている。
【００３１】
下部アーム４２は、例えば前後方向に延びる角筒状に形成されている。下部アーム４２は、支柱４１の下部同士を架け渡している。下部アーム４２における左右方向の幅は、支柱４１における左右方向の幅よりも狭くなっている。
【００３２】
上部アーム４３は、例えば前後方向に延びる角筒状に形成されている。上部アーム４３は、支柱４１の上端同士を架け渡すとともに、支柱４１に対して前後両側に張り出している。上部アーム４３は、締結部材によって天板１１の下面に固定される。この場合、上述した各天板片１５，１６の境界部分は、上部アーム４３における左右方向の中央部に位置していることが好ましい。床面Ｆ、支柱４１及び上部アーム４３で囲まれた空間は、左右方向に開口する配線収容空間Ｓを構成している。なお、上部アーム４３は、角筒状等の閉断面構造に限らず、例えばＣ字状等に形成されていてもよい。本実施形態において、上部アーム４３の左右方向の幅は、支柱４１の幅以上になっている。
【００３３】
パネルカバー４４は、支柱４１に対して左右両側からそれぞれ着脱可能に取り付けられる。各パネルカバー４４は、配線収容空間Ｓを左右両側から閉塞する。パネルカバー４４は、板材の前後両端部が折り曲げられた構成である。具体的に、パネルカバー４４は、カバー本体６１と、係止片６２と、を備えている。なお、各パネルカバー４４は、何れも同様の構成であるため、以下の説明では一方（左側）のパネルカバー４４を例にして説明する。
【００３４】
カバー本体６１は、左右方向から見た側面視において、配線収容空間Ｓと同等の大きさを有する長方形状とされている。カバー本体６１は、配線収容空間Ｓを左側から閉塞する。カバー本体６１の上端部には、上側配線挿通凹部５３が形成されている。カバー本体６１の下端部には、下側配線挿通凹部５４が形成されている。なお、配線挿通凹部５３，５４は、カバー本体６１の上下両端部に複数ずつ形成されていてもよい。また、カバー本体６１には、凹部に限らず、貫通孔を形成してもよい。
【００３５】
図４、図５に示すように、係止片６２は、カバー本体６１の前後両端部から左右方向に折り曲げられている。各係止片６２には、係止溝６５が形成されている。係止溝６５は、前後方向から見た正面視でＬ字状に形成され、係止片６２における左右方向の内側端縁（左右方向において中間支持体２３の中心に向かう方向）で開口している。具体的に、係止溝６５は、左右方向に延在する左右延在部６５ａと、左右延在部６５ａにおける左右方向の外側端部から上方に延在する上方延在部６５ｂと、を有している。係止溝６５は、各係止片６２において、上述した係止突起５２に対応して上下方向に間隔をあけて複数形成されている。
【００３６】
パネルカバー４４は、以下の手順で支柱４１に装着される。まず、係止溝６５と係止突起５２との上下方向での位置を合わせた状態で、パネルカバー４４を左右方向の内側に押し込む。すると、各係止突起５２が対応する係止溝６５の左右延在部６５ａ内に進入する。その後、パネルカバー４４を下方に移動させることで、係止突起５２が上方延在部６５ｂ内に係止される。これにより、パネルカバー４４は、係止突起５２に吊り下げられた状態で、各支柱４１間に配置される。なお、支柱４１とパネルカバー４４との組み付け方法は、適宜変更が可能である。パネルカバー４４は、例えば係止溝６５に限らず、係止爪等を介して支柱４１に支持されていてもよい。
【００３７】
図５に示すように、本実施形態の天板付什器１において、配線挿通孔２５を通じて天板１１の下方に引き回された配線Ｃは、上側配線挿通凹部５３を通じて配線収容空間Ｓ内に進入する。配線収容空間Ｓ内に進入した配線Ｃは、下側配線挿通凹部５４を通じて床面Ｆ上に引き出された後、外部電源等に接続される。
【００３８】
図４に示すように、中間ジョイント４５は、上部アーム４３における前後両端部にそれぞれ組み付けられている。なお、各中間ジョイント４５は、何れも同様の構成であるため、以下の構成では、前側の中間ジョイント４５を例にして説明する。
【００３９】
中間ジョイント４５は、上下方向から見た平面視でＴ字状に形成されている。具体的に、中間ジョイント４５は、アーム連結部７１と、外装部７２と、杆連結部７３と、を備えている。なお、本実施形態において、中間ジョイント４５は、それぞれ別体で形成されたアーム連結部７１、外装部７２及び杆連結部７３が互いに接続されることで構成されている。但し、中間ジョイント４５は、アーム連結部７１、外装部７２及び杆連結部７３のうち、少なくとも何れかを一体で形成してもよい。
【００４０】
図６は、中間ジョイント４５の拡大斜視図である。
図６に示すように、アーム連結部７１は、前後方向に延びる角筒状に形成されている。アーム連結部７１は、上述した上部アーム４３の前側開口部に差し込まれている。アーム連結部７１は、例えば上部アーム４３に形成された貫通孔７５を通じて左右方向の外側から締結部材７６が締結されることで、上部アーム４３に組み付けられる。但し、アーム連結部７１と上部アーム４３との組み付け方法は、適宜変更が可能である。
【００４１】
外装部７２は、左右方向に延びる角筒状に形成されている。外装部７２は、アーム連結部７１の前端部に、例えば溶接等によって接続されている。外装部７２における左右方向の長さは、上部アーム４３における左右方向の幅以上であることが好ましい。本実施形態において、外装部７２における左右方向の長さは、上部アーム４３における左右方向の幅と同等になっている。なお、外装部７２は、角筒状等の閉断面構造に限らず、例えばＣ字状等に形成されていてもよい。
【００４２】
杆連結部７３は、左右方向に延びるとともに、下方に開口するＣ字状に形成されている。杆連結部７３は、外装部７２内を左右方向に貫通している。杆連結部７３は、例えば溶接等によって外装部７２に接続されている。杆連結部７３のうち、外装部７２から左側に突出した部分は、左側取付片（取付片）８１を構成している。杆連結部７３のうち、外装部７２から右側に突出した部分は、右側取付片（取付片）８２を構成している。なお、本実施形態では、各取付片８１，８２が一体に形成された構成について説明したが、この構成に限られない。各取付片８１，８２を別々に外装部７２に接続してもよい。また、杆連結部７３は、Ｃ字状に限らず、角筒状等に形成してもよい。
【００４３】
各取付片８１，８２の上壁部には、杆材締結孔８５がそれぞれ形成されている。各取付片８１，８２の上壁部において、杆材締結孔８５に対して左右方向の外側に位置する部分には、挿通孔８６が形成されている。
【００４４】
図２に示すように、外周フレーム２０は、上述したように天板１１の外形よりも一回り小さい枠状に形成されている。具体的に、外周フレーム２０は、短辺部９１と、長辺部９２と、コーナー部材９３と、を備えている。
【００４５】
短辺部９１は、天板１１下方における左右両側において、前後方向に延在している。各短辺部９１は、例えば前後方向に延びる角筒状に形成されている。短辺部９１は、締結部材によって天板１１の下面に固定される。
【００４６】
図７は、支持構造体１２の部分斜視図である。
図７に示すように、長辺部９２は、天板１１下方における前後両側において、左右方向に延在している。長辺部９２は、外周フレーム２０の各角部において、コーナー部材９３を介して短辺部９１に接続されている。すなわち、各支持脚３１，３５は、コーナー部材９３を介して外周フレーム２０に連結されている。
【００４７】
長辺部９２は、左側連結杆９５と、右側連結杆９６と、上述した外装部７２及び杆連結部７３と、を備えている。
左側連結杆９５は、左側天板片１５の下方において、左右方向に延在している。左側連結杆９５は、左右方向に延びる角筒状に形成されている。
右側連結杆９６は、右側天板片１６の下方において、左右方向に延在している。右側連結杆９６は、左右方向に延びる角筒状に形成されている。各連結杆９５，９６は、左右方向における適所において、締結部材によって天板１１の下面に固定されている。本実施形態において、各連結杆９５，９６は、左右方向から見た側面視の外形が外装部７２と同等になっている。各連結杆９５，９６同士は、左右方向で対向している。なお、各連結杆９５，９６は、角筒状に限らず、例えば左右方向から見た側面視で下方に開口するＣ字状等であってもよい。
【００４８】
図８は、図７のＶＩＩＩ−ＶＩＩＩ線に相当する断面図である。次に、中間ジョイント４５と連結杆９５，９６との接続部分の構造について詳述する。
図８に示すように、左側連結杆９５内には、左側取付片８１が挿入されている。具体的に、左側取付片８１は、左側連結杆９５及び外装部７２の端面同士が左右方向で当接する位置まで左側連結杆９５内に挿入されている。左側連結杆９５の上壁部において、上述した杆材締結孔８５と平面視で重なる位置には、挿通孔１００が形成されている。左側取付片８１と左側連結杆９５とは、挿通孔１００を通じて杆材締結孔８５に締結部材１０１が螺着されることで互いに連結されている。
【００４９】
左側連結杆９５の上下壁部において、上述した挿通孔８６と重なる部分には、上下壁部をそれぞれ貫通する貫通孔１０２，１０３が形成されている。左側取付片８１及び左側連結杆９５は、挿通孔８６及び貫通孔１０２，１０３を通じて下方から締結部材１０６が挿通されることで、天板１１に共締めされている。
【００５０】
右側連結杆９６内には、右側取付片８２が挿入されている。具体的に、右側取付片８２は、右側連結杆９６及び外装部７２の端面同士が左右方向で当接する位置まで右側連結杆９６内に挿入されている。右側連結杆９６の上壁部において、上述した杆材締結孔８５と平面視で重なる位置には、挿通孔１１０が形成されている。右側取付片８２と右側連結杆９６とは、挿通孔１１０を通じて杆材締結孔８５に締結部材１１１が螺着されることで互いに連結されている。
【００５１】
右側連結杆９６の上下壁部において、上述した挿通孔８６と重なる部分には、上下壁部をそれぞれ貫通する貫通孔１１２，１１３が形成されている。右側取付片８２及び右側連結杆９６は、挿通孔８６及び貫通孔１１２，１１３を通じて下方から締結部材１１６が挿通されることで、天板１１に共締めされている。
【００５２】
本実施形態では、天板１１の下面のうち、締結部材１０１，１１１の頭部１０１ａ，１１１ａと重なり合う位置には、逃げ部１２１，１２２が形成されている。逃げ部１２１，１２２は、頭部１０１ａ，１１１ａをそれぞれ収容している。これにより、天板１１と頭部１０１ａ，１１１ａとの干渉を避けるとともに、支持構造体１２に対する天板１１の水平方向への位置決めが行われている。
【００５３】
ここで、外装部７２の外周面と、各連結杆９５，９６の外周面と、は面一に配置されている。また、上述したように左側連結杆９５及び外装部７２の端面同士、並びに右側連結杆９６及び外装部７２の端面同士は、左右方向で当接している。したがって、外装部７２の外周面と、各連結杆９５，９６の外周面と、は連続的に連なっている。この場合、外装部７２の外周面のうち、前後方向の外側を向く外側面（接続部外側面）７２ａは、各連結杆９５，９６の外周面のうち、前後方向の外側を向く外側面（杆外側面）９５ａ，９６ａとともに、外周フレーム２０の外装面２０ａ（図７参照）を構成している。
【００５４】
なお、外装部７２の外周面と各連結杆９５，９６の外周面とは、少なくとも外側面７２ａ，９５ａ，９６ａ（外周フレーム２０の外装面２０ａ）が左右方向で連なっていればよい。本実施形態において、「連なる」とは、外側面同士が連続的に連なることはもちろん、前後方向から見た正面視で外装部７２と連結杆９５，９６との境界部分が滑らかに連なっていればよい。すなわち、外装部７２と連結杆９５，９６との境界部分に、僅かに段差が生じていてもよい（略面一）。また、左側連結杆９５及び外装部７２の端面同士、並びに右側連結杆９６及び外装部７２の端面同士がそれぞれ左右方向で近接した状態で離間してもよい。
【００５５】
このように、本実施形態では、連結杆９５，９６が左側支持体２１、右側支持体２２及び中間支持体２３の上部同士を接続する構成とした。
この構成によれば、左側支持体２１及び右側支持体２２の間に中間支持体２３が配置されることで、天板１１の支持強度を確保できる。そのため、左右方向の寸法が長い天板１１であっても、安定して支持できる。
特に、本実施形態では、外装部７２の外側面７２ａが各連結杆９５，９６の外側面９５ａ，９６ａに左右方向で連なることで、各連結杆９５，９６の外側面９５ａ，９６ａとともに外周フレーム２０の外装面２０ａを構成している。そのため、外周フレーム２０において、外装部７２と各連結杆９５，９６との境界部分に段差が生じるのを抑制し、天板付什器１の体裁を向上させることができる。また、利用者の下肢が中間支持体２３に接触するのを抑制できるので、使い勝手を向上させることができる。
【００５６】
本実施形態では、外装部７２の外側面７２ａと、各連結杆９５，９６の外側面９５ａ，９６ａと、が面一に配置されている構成とした。
この構成によれば、天板付什器１の体裁、及び使い勝手の更なる向上を図ることができる。
【００５７】
本実施形態では、中間支持体２３が、床面Ｆから立設された支柱４１と、支柱４１の上端部から前後方向に張り出す上部アーム４３と、を有する構成とした。
この構成によれば、上部アーム４３によって天板１１の下方を前後方向の広範囲に亘って支持した上で、中間支持体２３の下部（支柱４１の領域）での前後方向の寸法を縮小できる。これにより、利用者の下肢が中間支持体２３に接触するのをより確実に抑制できる。
【００５８】
本実施形態では、中間ジョイント４５が上部アーム４３に着脱可能に取り付けられる構成とした。
この構成によれば、例えば中間ジョイント４５を上部アーム４３から取り外した状態で搬送することで、中間支持体２３の左右方向の幅を抑えた上で搬送することができる。これにより、搬送コストや搬送効率の向上を図ることができる。
【００５９】
本実施形態では、中間ジョイント４５の取付片８１，８２が連結杆９５，９５内に収容された状態で、中間ジョイント４５と連結杆９５，９６とが接続される構成とした。
この構成によれば、取付片８１，８２と連結杆９５，９６との接続部分が左右方向に沿って重なり合うので、中間ジョイント４５と連結杆９５，９６との接続強度を向上させることができる。
【００６０】
本実施形態では、左右方向から見た側面視において、取付片８１，８２の外形が外装部７２の外形よりも小さくなっている構成とした。
この構成によれば、外装部７２の外側面７２ａと、連結杆９５，９６の外側面９５ａ，９６ａと、を面一に配置し易くなる。
【００６１】
本実施形態では、複数の天板片１５，１６同士の間に中間支持体２３が配置される構成とした。
この構成によれば、天板片１５，１６の境界部分での支持強度を確保できる。これにより、天板１１の大型化を容易に図ることができる。
【００６２】
（その他の変形例）
以上、本発明の好ましい実施形態を説明したが、本発明はこれら実施形態に限定されることはない。本発明の趣旨を逸脱しない範囲で、構成の付加、省略、置換、及びその他の変更が可能である。本発明は上述した説明によって限定されることはなく、添付の特許請求の範囲によってのみ限定される。
例えば、上述した実施形態では、中間ジョイント４５が上部アーム４３に着脱可能に取り付けられる構成について説明したが、この構成に限られない。中間ジョイント４５は、上部アーム４３に一体で固定されていてもよい。
【００６３】
中間支持体２３は、中間ジョイント４５を有さない構成であってもよい。この場合、上部アーム４３自体が本発明に係る接続部を構成する。また、上部アーム４３の先端面（接続部外側面）４３ａが連結杆９５，９６の外側面９５ａ，９６ａとともに、外周フレーム２０の外装面２０ａを構成する。このような構成として、例えば図９に示すように、連結杆９５，９６における左右方向の内側端部に、前後方向の内側に張り出すフランジ部２００を設けてもよい。連結杆９５，９６のフランジ部２００は、上部アーム４３における左右方向の外側に位置する側壁部２０１にそれぞれ締結部材２０２を介して締結されていてもよい。この場合においても、上部アーム４３の側壁部２０１と連結杆９５，９６同士が左右方向で近接又は当接した状態で、上部アーム４３の先端面４３ａ及び連結杆９５，９６の外側面９５ａ，９６ａが滑らかに連なる。
【００６４】
上述した実施形態では、中間ジョイント４５の取付片８１，８２が連結杆９５，９６内に各別に収容される構成について説明したが、この構成に限られない。例えば図１０に示すように、連結杆９５，９６が上部アーム４３内に収容された構成であってもよい。具体的に、上部アーム４３の側壁部２０１には、杆挿通孔２１０が形成されている。一方、連結杆９５，９６は、左右方向の内側に突出する連結片２１１をそれぞれ備えている。各連結片２１１は、対応する杆挿通孔２１０内にそれぞれ挿通されている。この場合においても、上部アーム４３の側壁部２０１と連結杆９５，９６同士が左右方向で近接又は当接した状態で、上部アーム４３の先端面４３ａ及び連結杆９５，９６の外側面９５ａ，９６ａが滑らかに連なる。
【００６５】
上述した実施形態では、外周フレーム２０が枠状に形成された構成について説明したが、この構成に限られない。すなわち、外周フレーム２０は、左右方向に延びる連結杆を少なくとも有していていればよい。
なお、外装部７２と連結杆９５，９６との外側面７２ａ，９５ａ，９６ａ同士が左右方向で連なる構成であれば、外装部７２と連結杆９５，９６の上下位置が僅かにずれていてもよい。
上述した実施形態では、各支持体２１〜２３及び外周フレーム２０が天板１１に固定される構成について説明したが、この構成に限られない。天板１１は、少なくとも支持体２１〜２３が固定されていればよい。
【００６６】
上述した実施形態では、第１方向を左右方向とし、第２方向を前後方向として説明したが、この構成に限られない。すなわち、第１方向を前後方向とし、第２方向を左右方向としてもよい。
上述した実施形態では、天板付什器１としてテーブルを例にした場合について説明したが、この構成のみに限られない。天板付什器は、例えば棚等、少なくとも天板を有する構成であればよい。
【００６７】
その他、本発明の趣旨を逸脱しない範囲で、上述した実施形態における構成要素を周知の構成要素に置き換えることは適宜可能であり、また、上述した各変形例を適宜組み合わせてもよい。
【符号の説明】
【００６８】
１…天板付什器
１１…天板
１２…支持構造体
１５…左側天板片（天板片）
１６…右側天板片（天板片）
２０…外周フレーム
２０ａ…外装面
２１…左側支持体（第１支持体）
２２…右側支持体（第２支持体）
２３…中間支持体
４１…支柱（中間ベース）
４３…上部アーム（アーム部、アーム本体、接続部）
４３ａ…先端面（接続部外側面）
４５…中間ジョイント（アーム部、接続部）
７２…外装部
７２ａ…外側面（接続部外側面）
８１…左側取付片（取付片）
８２…右側取付片（取付片）
９５…左側連結杆（連結杆）
９５ａ…外側面（杆外側面）
９６…右側連結杆（連結杆）
９６ａ…外側面（杆外側面）
【図１】
2020116220.tif 000003
【図２】
2020116220.tif 000004
【図３】
2020116220.tif 000005
【図４】
2020116220.tif 000006
【図５】
2020116220.tif 000007
【図６】
2020116220.tif 000008
【図７】
2020116220.tif 000009
【図８】
2020116220.tif 000010
【図９】
2020116220.tif 000011
【図１０】
2020116220.tif 000012